(57)【要約】【課題】建物の外壁面からの張出し長さの大小に応じた形態の連結金具の製作を容易化し、もって、製作コストの低減を実現した庇を提供する。【解決手段】庇１は庇板２を上方より支持するアーム５を有する。アーム５は建物の外壁面に取り付けられ支持棒５０の上端部を軸支する支持金具６と、庇板２の上板面に取り付けられ支持棒５０の下端部が軸支される連結金具７とを備える。連結金具７は押出成形型材を長さ方向に対して直角に寸断して形成され、庇板２の上板面に両側部分がネジ固定される基板７０の上面中央部に支持棒５０の下端部を軸支するための枢軸９が取り付けられる左右一対の垂直板７１，７１が一体に突設されている。押出成形型材は寸断によって基板７０と垂直板７１とが得られるように基板７０および垂直板７１に対応する帯状の各板部を全長にわたって備えている。【選択図】図１
2012046988.tif 000002
【特許請求の範囲】
【請求項１】
庇板と、庇板を前方へ張り出した状態で庇板の後端部を保持する保持具と、庇板を上方または下方より支持するアームとから成り、前記アームが、支持棒と、建物の外壁面に取り付けられ支持棒の一端部を軸支する支持金具と、庇板の板面に取り付けられ支持棒の他端部が軸支される連結金具とを備えて成る庇において、前記連結金具は、押出成形型材を長さ方向に対して直角に寸断することにより形成され、庇板の板面に両側部分がネジ固定される基板の上面中央部に支持棒の端部を軸支するための枢軸が取り付けられる垂直板が一体に突設されており、前記押出成形型材は、寸断によって前記基板と垂直板とが得られるように基板および垂直板に対応する帯状の各板部を全長にわたって一体に備えて成る庇。
【請求項２】
前記庇板は、側端面を互いに突き合わせるようにして幅方向へ連結される複数の中間板材と、両側位置の中間板材の外側端面にそれぞれ装着される側板材とで構成され、各中間板材および各側板材は、押出成形された中空の金属板材により構成されている請求項１に記載された庇。
【請求項３】
前記支持金具は、押出成形型材を長さ方向に対して直角に寸断することにより形成され、建物の外壁面に両側部分がネジ固定される基板の上面中央部に支持棒の端部を軸支するための枢軸が取り付けられる垂直板が一体に突設されている請求項１に記載された庇。
【発明の詳細な説明】
【技術分野】
【０００１】
この発明は、建物の外壁面より庇板が前方へ張り出すように設けられる庇に関し、特にこの発明は、庇板を上方または下方より支持するためのアームを有する庇に関する。
【背景技術】
【０００２】
従来の庇は、建物の外壁面に固設した保持具に庇板の後端部が全幅にわたって保持された構造のものが一般的である。庇板として、全体が一体の構成のものの他に、複数の板材を幅方向へ連結して構成されたものも用いられている（例えば、特許文献１参照）。
【先行技術文献】
【特許文献】
【０００３】
【特許文献１】特許第４１９２１９９号公報
【０００４】
特許文献１に記載された庇板は、図８に示すように、側端面を互いに突き合わせるようにして幅方向へ連結される複数の中間板材２０と、両側位置の中間板材２０の外側端面にそれぞれ装着される側板材２１，２２とで構成されている。各中間板材２０は両側端面が、各側板材２１，２２は内側端面が、それぞれ他の板材と係脱可能な構造になっている。各板材はアルミニウムの押出成形により形成されており、その内部は中空となっている。庇板２の後端部は全幅にわたって長手状の保持具３により保持されている。
【０００５】
上記した構成の庇板２は、建物の外壁面からの張出し長さを自在に設定することが容易であり、保持具３は庇板２の長さが多少大きくても、荷重に十分に耐え得る構造になっているが、張出し長さが特に大きな庇については、図９に示すように、庇板２を例えば上方より支持するためのアーム１００が取り付けられている。
【０００６】
各アーム１００は、支持棒１０１と、建物の外壁面に取り付けられ支持棒１０１の上端部を軸支する支持金具１０２と、庇板２の上面に取り付けられ支持棒１０１の下端部が軸支される連結金具１０３とで構成されている。連結金具１０３には種々の態様のものがあるが、同図の連結金具１０３は、庇板２の上面に両側部分がボルト１０６およびナットにより固定される基板１０４を有し、その基板１０４の上面中央部に支持棒１０１の下端部を軸支するための枢軸１０７が取り付けられる左右一対の垂直板１０５，１０５が一体に突設されている。連結金具１０３は、精度と強度とが要求されるため、例えば、ロストワックス法と呼ばれる精密鋳造により製作されている。
【発明の概要】
【発明が解決しようとする課題】
【０００７】
上記の庇板２は、内部が中空であるため、庇板２に下方または上方への大きな荷重や風圧がかかると、連結金具１０３の取付部分に集中荷重を受け、庇板２の上板部が連結金具１０３の基板１０４により押圧されて変形したり損傷したりするおそれがある。したがって、連結金具１０３は、庇板２の張出し長さが大きくなるにしたがって、基板１０４の長さも大きく設定する必要があり、多種類の連結金具１０３を製作する必要がある。しかし、連結金具１０３を精密鋳造により製作する場合、種類毎に鋳型の製作が必要であり、製品がコスト高となるという問題がある。
【０００８】
この発明は、上記した問題に着目してなされたもので、庇板を支持するためのアームを有する庇において、アームの上記した連結金具を、押出成形型材を長さ方向に対して直角に寸断して形成することにより、建物の外壁面からの張出し長さの大小に応じた形態の連結金具の製作を容易化し、もって、製作コストの低減を実現した庇を提供することを目的とする。
【課題を解決するための手段】
【０００９】
この発明による庇は、庇板と、庇板を前方へ張り出した状態で庇板の後端部を保持する保持具と、庇板を上方または下方より支持するアームとから成り、前記アームが、支持棒と、建物の外壁面に取り付けられ支持棒の一端部を軸支する支持金具と、庇板の上面に取り付けられ支持棒の他端部が軸支される連結金具とを備えたものである。前記連結金具は、押出成形型材を長さ方向に対して直角に寸断することにより形成され、庇板の板面に両側部分がネジ固定される基板の上面中央部に支持棒の端部を軸支するための枢軸が取り付けられる垂直板が一体に突設されている。前記押出成形型材は、寸断によって前記基板と垂直板とが得られるように基板および垂直板に対応する帯状の各板部を全長にわたって一体に備えている。
【００１０】
上記した構成の庇では、連結金具は押出成形型材を所定の長さに寸断して形成されるので、庇板の張出し長さが大小異なる庇毎に各連結金具を製作するための鋳型を製作するなどの必要がない。連結金具は庇板の張出し長さに応じた長さを有するので、庇板に作用する荷重が庇板の張出し長さに応じて増しても、庇板の上面が連結金具の取付部分からの荷重の集中を受けることがなく、庇板の板面が連結金具の基板により押圧されて変形したり損傷したりするのが防止される。
【００１１】
前記庇板は、全体が一体の構成のものであってもよく、側端面を互いに突き合わせるようにして幅方向へ連結される複数の中間板材と、両側位置の中間板材の外側端面にそれぞれ装着される側板材とで構成されたものであって、各中間板材および各側板材が、押出成形された中空の金属板材により構成されたものであってもよい。
後者の実施態様では、建物の外壁面からの庇の張出し長さが自在に設定された中間板材と側板材とを容易に製作できる。
【００１２】
この発明の好ましい実施態様においては、前記支持金具は、押出成形型材を長さ方向に対して直角に寸断することにより形成され、建物の外壁面に両側部分がネジ固定される基板の上面中央部に支持棒の端部を軸支するための枢軸が取り付けられる垂直板が一体に突設されている。
この実施態様によれば、同じ押出成形型材より連結金具と支持金具とを製作することができ、庇の製作コストが一層低減できる。
【発明の効果】
【００１３】
この発明によると、アームの支持棒の端部を庇板に連結するための連結金具を、押出成形型材を長さ方向に対して直角に寸断して形成するので、建物の外壁面からの庇の張出し長さに応じた長さの連結金具を製作するのが容易であり、庇の製作コストを低減できる。また、建物の外壁面からの庇の張出し長さに応じて連結金具の長さが設定されるので、庇板の張出し長さに応じて庇板に作用する荷重が増しても、庇板の板面が連結金具の取付部分からの荷重の集中を受けることがなく、庇板の板面が連結金具の基板により押圧されて変形したり損傷したりするのが防止される。
【図面の簡単な説明】
【００１４】
【図１】この発明の一実施例である庇の外観を示す側面図である。
【図２】図１のＡ−Ａ線に沿う庇板の断面図である。
【図３】アームの取付状態を示す平面図である。
【図４】アームの連結金具の構成を示す正面図である。
【図５】アームの支持金具と連結金具の外観を示す斜視図である。
【図６】支持金具および連結金具を製作するための押出成形型材を示す長さの一部を省略した斜視図である。
【図７】連結金具に作用する力を分解して示す説明図である。
【図８】従来の庇の外観を示す斜視図である。
【図９】アームを有する従来の庇の外観を示す斜視図である。
【発明を実施するための形態】
【００１５】
図１は、この発明の一実施例である庇１の外観を示している。
この庇１は、建物の外壁面１０から前方へ張り出すように設けられるもので、庇板２と、建物の外壁面１０に固着され庇板２の基端部を全幅にわたって保持する保持具３と、庇板２の先端縁に全幅にわたって装着される化粧用の縁板４とで構成されている。庇板２、保持具３、および縁板４を構成する各部材はアルミニウムの押出成形型材が用いられている。図示例の庇１は、張出し量が比較的大きな庇であり、庇板２が２本のアーム５によって水平ないしは水平に近い状態に支持されている。２本のアーム５は庇板２の左右対称位置に配置されているが、アーム５の本数は２本に限らず、庇板２の幅に応じて増減することができる。また、図示例では、庇板２はアーム５により上方より支持されているが、同様のアームにより下方より支持することもできる。
【００１６】
庇板２は、図２に示すように、側端面を互いに突き合わせるようにして幅方向へ連結される複数の中間板材２０と、両側位置の中間板材２０の外側端面にそれぞれ装着される側板材２１，２２とで構成されている。各中間板材２０および各側板材２１，２２は、アルミニウムの押出成形により形成され、それぞれの上板部２Ａと下板部２Ｂとの間は中空になっている。
【００１７】
各中間板材２０は、一方の側端面に第１の係合部２４を、他方の側端面に第２の係合部２５を、それぞれ備えている。また、各側板材２１，２２のうち、一方の側板材２１は内側端面に第１の係合部２４を備え、他方の側板材２２は内側端面に第２の係合部２５を備えている。
【００１８】
各中間板材２０の第１の係合部２４は他の中間板材２０または側板材２２の第２の係合部２５と係脱可能である。各中間板材２０の第２の係合部２５は他の中間板材２０または側板材２１の第１の係合部２４と係脱可能である。
なお、図中、２６は中間板材２０の内部に一体形成された補強のためのリブであり、２７は中間板材２０の内部に挿入された補強のためのフラットバーである。
【００１９】
前記保持具３は、庇板２の全幅とほぼ一致する長さの保持枠（図示せず）を有し、アンカーボルトにより建物の外壁面に固定されて成るもので、保持枠の前面の上下に対向する板状部（図示せず）間で庇板２を構成する各板材２０〜２２の基端部が挟持されかつ複数本のボルトおよびナットにより一体化されている。
【００２０】
各アーム５は、長さ調節が可能な構成のものであり、図１および図３に示すように、支持棒５０と、建物の外壁面１０に取り付けられ支持棒５０の上端部を枢軸８を介して支持する支持金具６と、庇板２の上面に取り付けられ支持棒５０の下端部が枢軸９を介して連結される連結金具７とで構成されている。支持棒５０は金属製のパイプより成るアーム本体５１の両端にネジ軸５２，５３が連設されたもので、アーム本体５１の両端部の筒部内孔に切られたネジ孔にネジ軸５２，５３の一端がネジ込まれている。各ネジ軸５２，５３はネジの方向が逆向きに設定され、アーム本体５１を一方向へ回動したとき、各ネジ軸５２，５３がアーム本体６１の両端部より突出して支持棒５０の全長が長くなる。また、アーム本体５１を反対方向へ回転させたとき、各ネジ軸５２，５３がアーム本体５１の内部へ入り込んで支持棒５０の全長が短くなる。
【００２１】
各ネジ軸５２，５３の他端部にはそれぞれ縦向きの連結板５４，５５が取り付けられている。一方の連結板５４には、支持金具６に取付け支持された前記枢軸８を通す孔（図示せず）が、他方の連結板５５には、図４に示すように、連結金具７に取付け支持された前記枢軸９を通す孔５６が、それぞれ開設されている。各連結板５４，５５は枢軸８，９に対してそれぞれ回動自由であり、これにより、支持棒５０が支持金具６よび連結金具７に対して上下方向へ正逆回動可能となっている。
【００２２】
図５は、支持金具６と連結金具７の構成を示している。この実施例では、支持金具６と連結金具７とは同じものが用いられているが、両者が異なる形態のものであってもよい。図示例の支持金具６は、平板矩形状の基板６０の上面中央部に左右一対の垂直板６１，６１が一体に突設された形態のものであり、また、支持金具６も、平板矩形状の基板７０の上面中央部に左右一対の垂直板７１，７１が一体に突設された形態のものであって、いずれも図６に示すアルミニウムの押出成形型材ａを長さ方向に対して直角に寸断することにより形成されている。押出成形型材ａは、前記の寸断によって基板６０，７０と一対の垂直板６１，７１とが得られるように基板６０，７０および垂直板６１，７１に対応する帯状板部ｂ，ｃが全長にわたって一体に備えて成るものである。
【００２３】
図６において、一点鎖線は押出成形型材ａの帯状板部ｂ，ｃを寸断する部分を示しており、押出成形型材ａの寸断長さｄ１，ｄ２（ｄ１＜ｄ２）は、庇１の張出し長さ、すなわち、庇板２の長さに応じて大小設定される。すなわち、張出し長さがそれほど長くない庇は、寸断長さを小さな値ｄ１に設定することにより基板６０，７０の長さＬが短い支持金具６および連結金具７を製作する。張出し長さが長い庇は、寸断長さを大きな値ｄ２に設定することにより基板６０，７０の長さＬが長い支持金具６および連結金具７を製作する。
【００２４】
支持金具６は建物の外壁面１０に２本のボルト６２およびナット６３により取り付けられ、連結金具７は庇板２の上板面に２本のボルト７２およびナット７３により取り付けられるもので、図５に示されるように、それぞれの基板６１，７１の両側部分の長さ中央部にボルト６２，７２を通す円形のボルト通し孔６４，７４が形成される。
支持金具６の各垂直板６１，６１には枢軸８を通して取り付けるための円形の取付孔６５が、連結金具７の各垂直板７１，７１には枢軸９を通して取り付けるための円形の取付孔７５が、それぞれ高さ中央部に形成される。この実施例では、各枢軸８，９としてボルトが用いてあり、ナットによって取付固定されている。
【００２５】
連結金具７の各垂直板７１，７１は、図４に示されるように、枢軸９に軸支される連結板５５が入り込むことが可能な隙間を隔てて対向しており、図示していないが、支持金具６の各垂直板６１，６１も連結金具７と同様の構成である。
なお、支持金具６および連結金具７は、基板６０，７０の上面にひとつの垂直板６１，７１を一体に突設した形態のものであってもよく、その場合は、前記連結板５４，５５はこの実施例のような１枚構成のものの他に、垂直板６１，７１を両側より挟むような二股状のものを用いることができる。
【００２６】
上記した構成の庇１では、連結金具７は押出成形型材ａを所定の長さに寸断して形成されるので、鋳造により製作された従来の庇のように、庇板２の張出し長さが大小異なる庇毎に鋳型を製作するなどの必要がない。連結金具７の長さは庇板２の張出し長さに応じた長さに設定されるので、庇板２に作用する荷重が庇板２の張出し長さに応じて増しても、庇板２の上板面が連結金具７の取付部分からの荷重を集中して受けることがなく、庇板２の上板面が連結金具７の基板７０より押圧されて変形したり損傷したりするのが防止される。
また、この実施例の支持金具６も、連結金具７を製作するための押出成形型材ａを長さ方向に対して直角に寸断して形成されるので、同じ押出成形型材ａより連結金具７と支持金具６とを製作でき、庇１の製作コストが一層低減される。
【００２７】
図７は、庇板２に下向きの荷重Ｆ１や上向きの荷重（例えば風圧）Ｆ２が作用したときの状態を示している。庇板２に下向きの荷重Ｆ１が作用すると、その荷重Ｆ１は連結金具７を経て枢軸９に伝わり、アーム５の支持棒５０に沿う方向の分力Ｆｘが支持棒５０を引っ張る力として支持棒５０に作用する。前記の分力Ｆｘと直交する方向の分力Ｆｙは連結金具７の基板７０が庇板２の後端側を押圧する力として作用する。庇板２の長さに応じて基板７０の長さを大きく設定してあるので、基板７０と庇板２との接触面積が大きく、分力Ｆｙが庇板２に分散して作用し、庇板２の上板部２Ａが変形したり破損したりするおそれがない。
【００２８】
庇板２に上向きの荷重Ｆ２が作用すると、その荷重Ｆ２は連結金具７を経て枢軸９に伝わり、アーム５の支持棒５０に沿う方向の分力Ｆｘが支持棒５０を押す力として支持棒５０に作用する。前記の分力Ｆｘと直交する方向の分力Ｆｙは連結金具７の基板７０が庇板２の前端側を押圧する力として作用する。庇板２の長さに応じて基板７０の長さを大きく設定してあるので、基板７０と庇板２との接触面積が大きく、分力Ｆｙが庇板２に分散して作用し、庇板２の上板部２Ａが変形したり破損したりするおそれがない。
【符号の説明】
【００２９】
１    庇
２    庇板
３    保持具
５    アーム
６    支持金具
７    連結金具
８，９  枢軸
６０，７０  基板
６１，７１  垂直板
ａ    押出成形型材
ｂ，ｃ  帯状板部
２０  中間板材
２１，２２  側板材
【図１】
2012046988.tif 000003
【図２】
2012046988.tif 000004
【図３】
2012046988.tif 000005
【図４】
2012046988.tif 000006
【図５】
2012046988.tif 000007
【図６】
2012046988.tif 000008
【図７】
2012046988.tif 000009
【図８】
2012046988.tif 000010
【図９】
2012046988.tif 000011